(57)【要約】【課題】ショーケース設置時の電源投入の際には電源の正逆相を判断する回路として機能させ、その後の通常運転中は保護回路の動作を検出する回路として機能させて、ひとつの回路をショーケース設置時とその後の通常運転中とで使い分け、検出回路部品の低減を図るともに、基板回路面積を縮小できる冷凍冷蔵ショーケースの異常検知装置を得る。【解決手段】圧縮機１などの冷凍装置を備え、前記圧縮機１に過電流保護装置が接続されるとともに、ショーケース用制御器３でショーケースの運転を制御する冷凍冷蔵ショーケースにおいて、三相電源用ショーケース圧縮機１の前記過電流保護装置４の作動状態を取出す圧縮機保護動作検出回路の電源と、ショーケース用制御器３の電源とを三相電源２からの１相を共通とする２相をもってそれぞれ構成し、三相電源２の逆相接続を検出する。【選択図】        図１
2007259641.tif 000002
【特許請求の範囲】
【請求項１】
圧縮機などの冷凍装置を備え、前記圧縮機に過電流保護装置が接続されるとともに、ショーケース用制御器でショーケースの運転を制御する冷凍冷蔵ショーケースにおいて、三相電源用ショーケース圧縮機の前記過電流保護装置の作動状態を取出す圧縮機保護動作検出回路の電源と、ショーケース用制御器の電源とを三相電源からの１相を共通とする２相をもってそれぞれ構成し、三相電源の逆相接続を検出することを特徴とする冷凍冷蔵ショーケースの異常検知装置。
【請求項２】
前記過電流保護装置の作動状態を取出す圧縮機保護動作検出回路に過温度保護装置の接点を直列に接続したことを特徴とする請求項１記載の冷凍冷蔵ショーケースの異常検知装置。
【請求項３】
前記電源投入時に、過電流保護装置または過温度保護装置が作動している場合は、その復帰をまってから電源の逆相検知を開始することを特徴とする請求項２に記載の冷凍冷蔵ショーケースの異常検知装置。
【請求項４】
前記電源投入時に過電流保護装置または過温度保護装置が作動していた場合は、通常の運転中に過電流保護装置または過温度保護装置が作動したときに行う警報とは異なる警報を行うことを特徴とする請求項３に記載の冷凍冷蔵ショーケースの異常検知装置。
【請求項５】
三相電源の１相を共通とする二つの位相差を検出し、電源の逆相検知を行ったとき、同相であると判断されたときは通常運転に移行することを特徴とする請求項１記載の冷凍冷蔵ショーケースの異常検知装置。
【請求項６】
同相であると判断されて通常運転に移行した場合、ショーケース用制御器に予め記憶させておいた当該ショーケースの圧縮機の電源仕様によって、検出した電源の相の順序での異常判定を異ならせることを特徴とする請求項５記載の冷凍冷蔵ショーケースの異常検知装置。
【発明の詳細な説明】
【技術分野】
【０００１】
本発明は、冷凍冷蔵ショーケースの異常検知、特に圧縮機の三相電源の逆相検知装置に関するものである。
【背景技術】
【０００２】
冷凍冷蔵ショーケースには、圧縮機などによる冷凍装置が設備され、ショーケース用制御器で運転を制御しているが、圧縮機は設置時の配設接続のミスなどによって逆回転させると容易に破損する。
【０００３】
そこで、三相電源の場合、電源配線を間違えていた場合は、通電時に逆相であることを検出して通電されない構造となっており、そのための具体的方法として、三相電源の１つを基準にして他の位相の遅進を検出して、正常、逆相、同相の判定を行っている。
【０００４】
図３は三相電源の１つを基準にして他の位相の遅進を検出した場合の波形図で、基準となる波形ＳＴに対して、別の波形ＲＴが６０度の位相差で遅れて検出されればこれは正相であると判断されるが、反対に、６０度の位相差で早く検出されれば逆相であると判断する。
【０００５】
そして、ＳＴとＲＴとを比較する場合、従来はそのために比較用の入力検知回路を別途設けている（例えば特許文献１参照）。
【特許文献１】特開平１０−１７８７３６号公報
【発明の開示】
【発明が解決しようとする課題】
【０００６】
圧縮機電源の逆相を検出するためのものとして、ショーケースの設置時に電源を投入する際にだけしか使用されないものであるにもかかわらず、前記のように逆相検出のためだけを目的として比較用の入力検知回路を別途設けるのでは、部品点数が増加して基板回路面積がいたずらに増え、コスト高ともなる。
【０００７】
一方、圧縮機には過電流保護装置や過温度保護装置などの保護装置が接続され、これら保護装置にはその動作を検出する保護動作検出回路が接続されており、かかる保護動作検出回路は通常運転中に機能するが、この検出回路は保護動作検出のためだけにしか使用されない。
【０００８】
また、ショーケース用制御器には電源が接続されているが、前記保護装置はこの電源に接続されており、圧縮機用の三相電源とは別に配線接続される。
【０００９】
本発明の目的は前記従来例の不都合を解消し、逆相を検出するための比較用の入力検知回路を別途格別に設けずに、また、ショーケース制御器用の電源も別途設けずに、圧縮機三相電源の一部を前記保護動作検出回路の電源とショーケース制御器用電源とにそれぞれ使用し、ショーケース設置時の電源投入の際には電源の正逆相を判断する回路として機能させ、その後の通常運転中は保護回路の動作を検出する回路として機能させて、ひとつの回路をショーケース設置時とその後の通常運転中とで使い分け、検出回路部品の低減を図るともに、基板回路面積を縮小できる冷凍冷蔵ショーケースの異常検知装置を提供することにある。
【課題を解決するための手段】
【００１０】
本発明は前記目的を達成するため、請求項１記載の発明は、圧縮機などの冷凍装置を備え、前記圧縮機に過電流保護装置が接続されるとともに、ショーケース用制御器でショーケースの運転を制御する冷凍冷蔵ショーケースにおいて、三相電源用ショーケース圧縮機の前記過電流保護装置の作動状態を取出す圧縮機保護動作検出回路の電源と、ショーケース用制御器の電源とを三相電源からの１相を共通とする２相をもってそれぞれ構成し、三相電源の逆相接続を検出することを要旨とするものである。
【発明の効果】
【００１１】
以上述べたように本発明の冷凍冷蔵ショーケースの異常検知装置は、圧縮機三相電源の一部をショーケース用制御器の電源として圧縮機電源の逆相を検出するための比較用の入力検知回路を構成し、この回路に、圧縮機保護用の装置の保護動作検出回路を入れ込み、ショーケース設置時の電源投入の際には電源の正逆相を判断する回路として機能させ、その後の通常運転中は保護回路の動作を検出する回路として機能させるようにしたから、ひとつの回路をショーケース設置時の電源投入初期とその後の通常運転中とで回路機能を使い分け、検出回路部品の低減を図るともに、基板回路面積を縮小できるものである。
【発明を実施するための最良の形態】
【００１２】
以下、図面について本発明の実施形態を詳細に説明する。図１は本発明の冷凍冷蔵ショーケースの異常検知装置の実施形態を示す回路図で、三相電源用ショーケースの圧縮機１の三相電源２のＳ相とＴ相とでショーケース用制御器３の電源回路６を構成し、前記三相電源２のＲ相とＴ相とで圧縮機１の保護装置である過電流保護装置４と過温度保護装置５の作動状態を検出する保護動作検出回路の電源回路７を構成する。
【００１３】
これにより、ショーケース用制御器３の電源回路６と保護動作検出回路の電源回路７とは三相電源２からの２相をもって構成され、かつ、それぞれ１相であるＴ相が共通となる。さらに、過電流保護装置４の作動状態を取出す圧縮機保護動作検出回路に過温度保護装置５の接点を直列に接続して、過電流保護装置４および過温度保護装置５のいずれかが作動すれば、保護動作検出回路の電源回路７が遮断されるように構成した。
【００１４】
よって、このＳＴ相とＲＴ相の位相を検出することで従来と同様の方法で位相の遅進を検出して逆相に接続されたかを判断できる。この場合、位相の検出のための比較回路を別途設けずに、圧縮機１の電源回路でショーケース制御器３の電源回路６と、保護動作検出回路の電源回路７とを構成し、この２つの電源回路６，７の位相をもって逆相を検出できる。
【００１５】
次に、逆相検知の具体的動作を図２のフローチャートについて説明する。ショーケース設置時に三相電源２を投入したとき（ステップ１）、過電流が過電流保護装置４の動作検出回路で検出されたり、過温度が過温度保護装置５の動作検出回路で検出されて、これらの回路が作動してしまうとここからの電源回路７への電圧入力がなく（ステップ２）、圧縮機保護機能が作動中であるためその旨を警報として発令する（ステップ３）。
【００１６】
この発令は、電源投入初期のものとして、通常の運転中に過電流保護装置または過温度保護装置が作動したときに行う警報とは異なる態様の警報を行い、通常運転中のものとは区別する。
【００１７】
そして、時間が経過して圧縮機１の温度が下がれば、保護動作検出回路が復帰して、ここから電圧入力がされる（ステップ４）。よって、その後、電源２の逆相検知を行う。
【００１８】
逆相検知は、ショーケース制御器３の電源回路６（ＳＴ相）と、保護動作検出回路の電源回路７（ＲＴ相）とを使用し、三相電源２の１相であるＴ相を共通とするこの２つの電源回路６，７の位相差を検出し、位相差が＋６０度であれば（ステップ５）、三相電源２が正常に接続されている判断する（ステップ８）。
【００１９】
その後、ショーケースの運転が開始され、庫内温度制御が開始して（ステップ９）、通常運転となる。この通常運転中は、電源回路は、逆相検知回路としてではなく、保護装置動作の検出回路としてのみ機能する。
【００２０】
一方、前記（ステップ５）の段階で、位相差が＋６０度でなかった場合は、さらにその位相差が０度であるか判定して、０度の場合は（ステップ６）、ショーケース制御器３に記憶させてある圧縮機１の仕様が単相であるかを判定する（ステップ７）。
【００２１】
判定の結果、圧縮機１の仕様が単相であれば、位相差が０度ということは電源２は正常接続されているものと判断できる（ステップ８）。このように位相差が６０度でなかった場合、直ちに逆相と判断するのではなく、電源が単相の場合であれば、位相差が０度は正常接続となるから、その判定を行う。
【００２２】
一方、位相差が０度のとき、圧縮機１の仕様が単相仕様でなければ（ステップ７）、三相電源２の接続は異常と判断できるから、異常警報を発令する（ステップ１０）。
【００２３】
このようにして、圧縮機１の三相電源２の、１相を共通とする２相でそれぞれ構成する保護動作検出回路の電源回路７と、ショーケース用制御器の電源回路６とで位相差を検出して逆相か否かを判断する。
【００２４】
そして、通常運転中は、電源回路は、逆相検知回路としてではなく、保護装置動作の検出回路としてのみ機能する。
【図面の簡単な説明】
【００２５】
【図１】本発明の冷凍冷蔵ショーケースの異常検知装置の実施形態を示す回路図である。
【図２】本発明の冷凍冷蔵ショーケースの異常検知装置の実施形態を示す逆相検知動作のフローチャートである。
【図３】本発明の冷凍冷蔵ショーケースの異常検知装置の実施形態を示す位相差を示す波形図である。
【符号の説明】
【００２６】
１  圧縮機                      ２  三相電源
３  ショーケース用制御器        ４  過電流保護装置
５  過温度保護装置              ６，７  電源回路
【図１】
2007259641.tif 000003
【図２】
2007259641.tif 000004
【図３】
2007259641.tif 000005